(57)【特許請求の範囲】
【請求項１】
建物の小屋裏と屋外とを換気する通風路を有する換気装置において、
上記小屋裏と屋外とを仕切る外壁の開口に取り付けられ、内部空間が上記小屋裏に連なる上側通路部分を構成する中空の装置本体と、
上記装置本体を覆うようにして、この装置本体の屋外側に取り付けられる化粧板とを備え、
上記化粧板が、上記装置本体より下に延びる延長部を有し、この延長部と上記外壁との間に、上記上側通路部分を屋外に連ねる下側通路部分が形成され、
上記通風路が、上記上側通路部分及び下側通路部分を含んでおり、
上記装置本体が、上記通風路内に設けられた支持部を有し、この支持部に、柔軟なシートの上端部が取り付けられており、
このシートは、上記小屋裏と屋外の気圧差がゼロの時に垂れ下がり状態となって上記通風路を開き、屋外の気圧が上記小屋裏より高くなった時に上記通風路を塞ぐようになびくことを特徴とする建物の小屋裏換気装置。
【請求項２】
上記シートが撥水性を有していることを特徴とする請求項１に記載の小屋裏換気装置。
【請求項３】
上記シートの下端部に重りを設けたことを特徴とする請求項１または２に記載の小屋裏換気装置。
【請求項４】
空気の流通を許容する一方、上記シートがなびいたとき、該シートがめくれるのを規制する規制部材を、上記支持部から突出するよう設けたことを特徴とする請求項１〜３の何れかに記載の小屋裏換気装置。
【発明の詳細な説明】
【０００１】
【発明の属する技術分野】
この発明は、建物の小屋裏を換気する装置に関する。
【０００２】
【従来の技術】
例えば、組立家屋などの建物では、小屋裏と屋外とを仕切る外壁に、小屋裏を換気するための換気装置が設けられている。換気装置は、外壁に形成された開口に嵌め込まれるガラリ（装置本体）と、このガラリの屋外側にガラリを覆うようにして取り付けられた装飾用の化粧板とを備えている。ガラリは、水平に延びる複数の羽根を有し、これら羽根が上下に等間隔置きに配されている。一方、化粧板には、上記の羽根と対向するようにして、水平に延びる複数のスリットが上下に間隔を置いて形成されている。これによって、化粧板のスリット、およびガラリの羽根と羽根との隙間を介して、小屋裏と屋外の換気が行われる。
【０００３】
各羽根は、小屋裏に向かうにしたがって上に傾斜されており、その小屋裏側の端縁には、断面逆Ｌ字形状をなす水返しが上に突出して設けられている。雨天時、屋外から吹き込まれる雨滴が、この水返しによって振り落とされ、小屋裏に侵入するのが防止される。
【０００４】
【発明が解決しようとする課題】
上記の従来構造では、化粧板のスリットがガラリの高さに配され、化粧板とガラリとの間の通風路がほぼ水平になっているので、風の勢いが強くなると、雨滴が横殴りになって水返しを通り越すことがあり、雨滴の小屋裏への侵入を確実に防止できないという問題があった。
【０００５】
【課題を解決するための手段】
上記課題を解決するために、第１の発明は、建物の小屋裏と屋外とを換気する通風路を有する換気装置において、上記小屋裏と屋外とを仕切る外壁の開口に取り付けられ、内部空間が上記小屋裏に連なる上側通路部分を構成する中空の装置本体と、上記装置本体を覆うようにして、この装置本体の屋外側に取り付けられる化粧板とを備え、上記化粧板が、上記装置本体より下に延びる延長部を有し、この延長部と上記外壁との間に、上記上側通路部分を屋外に連ねる下側通路部分が形成され、上記通風路が、上記上側通路部分及び下側通路部分を含んでいることを特徴とする。
【０００６】
第２の発明は、第１の発明において、上記装置本体が、上記通風路内に突出して通気中の水滴を振り落とす水返しを有していることを特徴とする。
【０００７】
第３の発明は、第１または第２の発明において、上記装置本体が、上記通風路内に突出された支持部を有し、この支持部の先端に、柔軟なシートの上端部が取り付けられており、このシートは、上記小屋裏と屋外の気圧差がゼロの時に垂れ下がり状態となって上記通風路を開き、屋外の気圧が上記小屋裏より高くなった時に上記通風路を塞ぐようになびくことを特徴とする。
【０００８】
第４の発明は、第１〜第３の発明の何れかにおいて、上記建物の屋根が、一対の斜めをなす屋根部からなる切り妻屋根であり、上記化粧板の上端縁が、一対の斜めをなす縁部を有し、これら縁部が、上記屋根部の傍軒にそれぞれ当てられることを特徴とする。
第５の発明は、第１〜第４の発明の何れかにおいて、上記化粧板が、上記装置本体に着脱可能であることを特徴とする。
【０００９】
【発明の実施の形態】
以下、本発明の実施形態を、図面を参照して説明する。
図１は、本発明の第１実施形態を適用した家屋（建物）を示したものである。家屋は、一対の斜めをなす屋根部２からなる切り妻屋根１と、妻壁３（外壁）とを有している。妻壁３の上側部によって、小屋裏４と屋外とが仕切られている（図３〜図５参照）。この妻壁３の上側部には、小屋裏４に連なる開口３ａが形成されるとともに、換気装置１０が設けられている。
【００１０】
換気装置１０は、開口３ａに嵌め込まれた装置本体２０と、この装置本体２０を覆うようにして、装置本体２０の屋外側に取り付けられた化粧板３０とを備えている。図４及び図５に示すように、装置本体２０は、アルミ押出成形によって左右（図４において紙面と直交する方向）に細長く形成された小屋裏側型材２１および屋外側型材２２と、これら型材２１，２２の左右両端を塞ぐ一対のキャップ２３とを有している。
【００１１】
小屋裏側型材２１は、開口３ａの内部に配された垂直の小屋裏側壁２１ａを有している。一方、屋外側型材２２は、開口３ａより屋外側に配された垂直の屋外側壁２２ａと、この壁２２ａの上端部に連なり、壁２２ａ、２１ａの間を覆う上板部２２ｂとを有している。これら壁２１ａ，２２ａ及び上板部２２ｂによって、上側通路部分２０ａが形成されている。この通路部分２０ａは、屋外側壁２２ａの下端部が小屋裏側壁２１ａの中途の高さに配されることによって、装置本体２０内の上側部分にだけ形成されている。
【００１２】
上板部２２ｂにおいて小屋裏４側を向く端縁と、小屋裏側壁２１ａの上端縁との間に、連通口２０ｂが形成されている。この連通口２０ｂを介して、上側通路部分２０ａが、開口３ａひいては小屋裏４に連通されている。
【００１３】
小屋裏側壁２１ａの上端縁には、水返し２１ｂが設けられている。水返し２１ｂは、上側通路部分２０ａ内に水平に突出された遮流板部２１ｄと、この遮流板部２１ｄの先端から下に突出された水切り板部２１ｅとを有している。同様にして、屋外側壁２２ａの下端部には、壁２１ａに向けて斜め下に突出する遮流板部２２ｆと、この遮流板部２２ｆの先端から真下に突出された水切り板部２２ｇとからなる水返し２２ｃが設けられている。水切り板部２２ｇと小屋裏側壁２１ａとの間を介して、上側通路部分２０ａが下方に開放されている。
【００１４】
装置本体２０の開口３ａへの取付構造を説明する。図４に示すように、上板部２２ｂには、取付板部２２ｄが上に突出して設けられている。この取付板部２２ｄが、開口３ａより上の妻壁３の合板３ｂひいては木枠３ｃに、釘５で接合されている。上板部２２ｂと妻壁３のモルタル３ｄとの間には、シリコーン６が充填されている。また、小屋裏側壁２１ａの下端部には、底板部２１ｃが設けられ、この底板部２１ｃが、開口３ａの下端面に当てられている。底板部２１ｃとモルタル３ｄとの間には、シリコーン６が充填されている。さらに、図５に示すように、左右のキャップ２３には取付板部２３ａが設けられており、この取付板部２３ａが妻壁３に接合され、キャップ２３とモルタル３ｄの間にシリコーン６が充填されている。
【００１５】
次に、化粧板３０について説明する。図２及び図３に示すように、化粧板３０は、装置本体２０の屋外側に装置本体２０を覆うように配された前壁３１と、この前壁３１の上端縁と妻壁３との間を覆う天板３２と、前壁３１の左右の端縁と妻壁３との間を覆う一対の横壁３３とを有している。
前壁３１の上端縁は、屋根１の傍軒２ａに添う一対の斜めをなす縁部を有し、これら縁部に上記一対の天板３２がそれぞれ連なっている。
【００１６】
図４に示すように、前壁３１において装置本体２０の下側部を覆う部分と小屋裏側壁２１ａとの間に、上記上側通路部分２０ａと連なる中間通路部分１０ａが形成されている。
【００１７】
図２及び図３に示すように、前壁３１の下側部は、装置本体２０よりも下に延びており、この前壁３１の下側部と妻壁３との間に、中間通路部分１０ａと連なる下側通路部分１０ｂが形成されている。前壁３１の下端部には、前壁３１と妻壁３との間を覆う下台３４が設けられている。
上側通路部分２０ａ、中間通路部分１０ａ、及び下側通路部分１０ｂによって、特許請求の範囲の「通風路」が構成されている。
【００１８】
なお、図２及び図５に示すように、前壁３１は、上下に延びる複数の型材３５で構成され、これら型材３５が左右に連結されている。各型材３５は、屋外側に突出した凸部３５ａと小屋裏側に凹んだ凹部３５ｂとを有している。これら凸部３５ａ及び凹部３５ｂは、型材３５の長手方向にそれぞれ延びている。
【００１９】
一対の横壁３３は、上下に延びるＬ字形状の型材で構成され、前壁３１の左右端の型材３５に連結されている。図３及び図５に示すように、横壁３３の下側部には、通気口３３ａが上下に並んで５つ形成されている。この通気口３３ａを介して、下側通路部分１０ｂが屋外と連なっている。横壁３３の通路部分１０ｂ側の面には、防虫網３６が、通気口３３ａを覆うようにして設けられている。
化粧板３０の前壁３１と横壁３３における装置本体２０より下側部分によって、特許請求の範囲の「延長部」が構成されている。
【００２０】
化粧板３０の装置本体２０への取付構造を説明する。
前壁３１の上側部には、４つの取付孔３１ａが形成されている。図４及び図５に示すように、これら取付孔３１ａを介して、前壁３１と装置本体２０の左右のキャップ２３とが、ボルト１１及びナット１２（連結手段）によって連結されている。したがって、化粧板３０は、装置本体２０に対して着脱可能になっている。前壁３１と装置本体２０の屋外側壁２２ａとの間には、パッキン１３が介在されている。化粧板３０と妻壁３とは直接には連結されていない。
なお、化粧板３０の天板３２、横壁３３及び下台３４と、妻壁３との間には、僅かな隙間（例えば、３〜５ｍｍ）が形成されているが、化粧板３０を妻壁３に突き当てて隙間を無くしてもよい。その場合、下台３４には、水抜き孔を設ける。
【００２１】
上記のように構成された換気装置１０の作用を説明する。
図３において矢印で示したように、屋外の空気は、通気口３３ａの防虫網３６の網目を通って下側通路部分１０ｂに入る。そして、下側通路部分１０ｂから中間通路部分１０ａ、上側通路部分２０ａの順に上に昇り、連通口２０ｂから開口３ａを経て小屋裏４に至る。小屋裏４の空気は、上記と逆の順路を辿って屋外に出される。これによって、小屋裏４の換気がなされる。
【００２２】
下側通路部分１０ｂが垂直に延びているので、雨混じりの強風が、通気口３３ａから吹き込んだとしても、風が通路部分１０ｂを上昇する過程で、それに含まれる雨滴（水滴）が落とされる。これによって、雨滴が小屋裏４に侵入するのを確実に防止することができる。また、たとえ雨滴が装置本体２０内までやって来たとしても、水返し２１ｂ，２２ｃの遮流板部２１ｄ，２２ｆによって上昇が遮られ、この遮流板部２１ｄ，２２ｆの下面に付着され、さらに水切り板部２１ｅ，２２ｇを伝って落とされる。これによって、雨滴の小屋裏４への侵入を一層確実に防止することができる。落とされた雨滴は、下台３４と妻壁３との隙間から屋外に排出される。
【００２３】
化粧板３０と装置本体２０とが着脱可能になっているので、装置本体については家屋の様式や外観の違いに拘わらず共通のものを使用する一方、化粧板についてはその家屋にマッチするデザインや大きさのものを選んで取り付けることができる。また、家屋のリフォームの際に化粧板３０を外すことによって、モルタル３ｄの特に下側通路部分１０ｂに面する部位の塗り替えを容易に行うことができ、ひいては、通路部分１０ｂの形成部材として提供された妻壁３の保守管理、品質維持を容易に行うことができる。
【００２４】
次に、本発明の他の実施形態を説明する。以下の実施形態において、上記第１実施形態と同様の構成に関しては、図面に同一符号を付して説明を省略する。
図６および図７は、本発明の第２実施形態に係る換気装置１０’を示したものである。図７に示すように、この装置１０’の化粧板３０’は、前壁３１’と、この前壁３１’の下端縁に設けられた底板３７とで構成され、天板や横壁は設けられていない。
【００２５】
図６（ａ）および図７に示すように、前壁３１’は、一対の斜めをなす枠３９（縁部）と、これら枠３９の間に設けられた複数の型材３８とを有し、二等辺三角形状をなしている。一対の枠３９は、屋根１の傍軒２ａに当てられており、傍軒２ａによって枠３９と妻壁３との間が塞がれている。各型材３８は、水平に延び、これら型材３８が上下に連結されている。
【００２６】
底板３７は、前壁３１’の下端縁と妻壁３との間を覆っている。この底板３８には、多数のスリット３７ａ（通気口）が形成され、これらスリット３７ａを介して下側通路部分１０ｂと屋外とが連通されている。図７において矢印で示すように、屋外の空気は上昇しながらスリット３７ａを通り抜けて下側通路部分１０ｂに入り込む。したがって、この空気のスリット３７ａ通過の過程で、雨滴を落とすことができ、雨滴が、下側通路部分１０ｂひいては小屋裏４に侵入するのを一層確実防止することができる。
【００２７】
次に、本発明の第３実施形態を、図８に基づいて説明する。この実施形態では、装置本体２０の小屋裏側壁２１ａに、中間通路部分１０ａ内に突出する支持部２４が設けられている。この支持部２４の先端部に、ナイロン製（合成繊維製）の布２５（撥水性を有する柔軟で薄いシート）の上端部が取り付けられている。布２５は、装置本体２０の長手方向（図８において紙面に直交する方向）に細長く延びている。この布２５の下端部には、重り２７が設けられている。また、支持部２４の上面には、金網２８（空気の流通を許容する規制部材）がボルト２９で固定されている。金網２８は、支持部２４の先端から突出し、化粧板３０の前壁３１に向けて延びている。
【００２８】
図８において実線で示すように、屋外が無風（小屋裏４と屋外の気圧差がゼロ）の時は、布２５は垂れ下がり状態となっている。これによって、中間通路部分１０ａが開かれ、小屋裏４と屋外の換気が許容される。微風の時も、重り２７によって布２５の垂れ下がり状態が維持され、換気が許容される。
【００２９】
図８において仮想線で示すように、強風などで屋外の気圧が小屋裏４より高くなった時は、この気圧差によって布２５が中間通路部分１０ａを塞ぐように前壁３１に向かってなびく。これによって、風の流通を制限して小屋裏４に強風が吹き込むのを防止できるのは勿論、雨滴を遮って、雨滴の小屋裏４への侵入をより一層確実に防止することができる。
なびいた布２５は、金網２８に当たり、支持部２４の上側にめくれるのが防止される。
【００３０】
本発明は、上記実施の形態に限定されず、種々の改変が可能である。
例えば、化粧板の延長部と外壁とによって下側通路部分を屋外に連ねる通気口が形成されるようにしてもよい。
装置本体２０の屋外側壁２２ａを小屋裏側壁２１ａの下端部の高さまで延ばし、中間通路部分１０ａが、壁２１ａ，２２ａで形成される上側通路部分２０ａに含まれるようにしてもよい。
化粧板を装置本体に着脱可能に取り付けるための連結手段は、化粧板又は装置本体の一方に設けられたフックと、他方に設けられ、上記フックと係合する係合部材でもよい。
【００３１】
【発明の効果】
以上説明したように、第１の発明では、下側通路部分が上下方向に延びているので、この通路部分を通気が上昇する過程で、この通気に含まれる雨滴を落とすことができ、雨滴の小屋裏への侵入を確実に防止することができる。
第２の発明では、水返しによって、雨滴の小屋裏への侵入を一層確実に防止することができる。
第３の発明では、シートによって強風時における雨滴の流通を遮ることができ、雨滴の小屋裏への侵入をより一層確実に防止することができる。
第４の発明では、傍軒によって化粧板の上端縁と外壁との間を塞ぐことができる。
第５の発明では、装置本体については家屋の様式や外観の違いに拘わらず共通のものを使用する一方、化粧板についてはその家屋にマッチするデザインや大きさのものを選んで取り付けることができる。また、下側通路部分の形成部材として提供された外壁の保守管理、品質維持を容易に行うことができる。
【図面の簡単な説明】
【図１】本発明の第１実施形態に係る換気装置を適用した家屋の斜視図である。
【図２】上記換気装置の正面図である。
【図３】上記換気装置の側面図である。
【図４】図２のIV−IV線に沿う上記家屋の断面図である。
【図５】図４のV−V線に沿う上記家屋の断面図である。
【図６】（ａ）本発明の第２実施形態に係る換気装置の正面図である。
（ｂ）上記第２実施形態に係る換気装置の底面図である。
【図７】図６（ａ）のVII−VII線に沿う断面図である
【図８】本発明の第３実施形態に係る換気装置の断面図である。
【符号の説明】
１  切り妻屋根
２  屋根部
２ａ  傍軒
３  妻壁（外壁）
３ａ  開口
４  小屋裏
１０，１０’  換気装置
１０ｂ  下側通路部分
２０  装置本体
２０ａ  上側通路部分
２１ｂ，２２ｃ  水返し
２４  支持部
２５  布（シート）
３０，３０’  化粧板
【図１】
0004189113.tif 000002
【図２】
0004189113.tif 000003
【図３】
0004189113.tif 000004
【図４】
0004189113.tif 000005
【図５】
0004189113.tif 000006
【図６】
0004189113.tif 000007
【図７】
0004189113.tif 000008
【図８】
0004189113.tif 000009